(57)【要約】【課題】  本発明は、小型のケースであったとしても充分な曇り止め効果を得ることが可能な計器装を提供することを目的とする。【解決手段】  表示板５が前面側に設けられた指示計器２と、指示計器２を収納するケース１と、表示板５上に臨んで設置される表示用の発光体１０と、ケース１の開口部に配置され指示計器２を密閉状態で覆う透視可能な透視板６と、ケース１に設けられ透視板６とケース１によって構成される収納空間と外気とを連通する通気孔７を有する通気部８と、を備えた計器装置において、前記通気部８に設けられた前記通気孔７位置に対応するように前記ケース１の底面から高さ方向へ延設される筒状の保持部１２と、この保持部１２の上端部に配置される前記表示用の発光体１０と、を備えてなることを特徴とする計器装置。【選択図】  図２
2011095068.tif 000002
【特許請求の範囲】
【請求項１】
表示板が前面側に設けられた指示計器と、前記指示計器を収納するケースと、前記表示板上に臨んで設置される表示用の発光体と、前記ケースの開口部に配置され前記指示計器を密閉状態で覆う透視可能な透視板と、前記ケースに設けられ前記透視板と前記ケースによって構成される収納空間と外気とを連通する通気孔を有する通気部と、を備えた計器装置において、前記通気部に設けられた前記通気孔位置に対応するように前記ケースの底面から高さ方向へ延設される筒状の保持部と、この保持部の上端部に配置される前記表示用の発光体と、を備えてなることを特徴とする計器装置。
【請求項２】
前記通気孔の内壁箇所または前記保持部の内壁箇所に障壁部を一体に突出してなることを特徴とする請求項１に記載の計器装置。
【請求項３】
前記発光体は、前記筒状の保持部と前記表示板との間に配置してなることを特徴とする請求項１または請求項２に記載の計器装置。
【請求項４】
前記発光体の周囲に弾性材料からなるソケットを設けてなることを特徴とする請求項１から請求項３のいずれかに記載の計器装置。
【発明の詳細な説明】
【技術分野】
【０００１】
本発明は、例えば自動車やオートバイ、建設機械、農耕機械、船舶、雪上バイク、水上バイクをはじめとする各種移動体の計器装置に関するものである。
【背景技術】
【０００２】
従来の計器装置として、例えば、特許文献１や特許文献２に開示されるものが知られている。この計器装置は、表示板が前面側に設けられた指示計器と、その指示計器を収納するケースと、そのケースの開口部に配置され前記指示計器を密閉状態で覆う透視可能な透視板と、前記ケースに設けられ前記透視板と前記ケースによって構成される収納空間と外気とを連通する通気孔（通気部）と、を備えて構成されている。このような通気孔にあっては、内部部品である指示計器や照明用の光源や表示用の光源等の内部部品との干渉を避けるためにケースの底面に専用に複数の通気孔が設けられるものであった。
【０００３】
また、特許文献３に開示されているように、表示板上には例えば各種移動体の異常な状態を知らせるための警告表示用としての発光体が臨んで配置されている。
【０００４】
【特許文献１】特開平８−２１９８１７号公報
【特許文献２】実公平４−３９５３２号公報
【特許文献３】実公平３−２６５４２号公報
【発明の開示】
【発明が解決しようとする課題】
【０００５】
ところで、前述の特許文献１や特許文献２などの通気孔を有する計器装置にあっては、ケースの底面に複数の通気孔を設けることによって通気効果が高められるものとなるが、ケース内には指示計器や照明用の光源あるいは表示用の発光体等の内部部品を収容する必要があるため、通気孔を設ける位置に制約を受けてしまうことがある。このため、小型のケースでは多くの通気孔を設けることができずケースの前面側を覆う透視板の曇り止め効果を低下させてしまうという問題があった。このような現象を避けるためには、内外気の通気性能を良好に保つためにケース自体を大きくして通気孔の数を増やしたり、通気孔の設置位置を余裕を持たせた状態にて形成したりしなければならないという問題がある。
【０００６】
そこで本発明は、前述の問題点に着目し、小型のケースであったとしても充分な曇り止め効果を得ることが可能な計器装を提供することを目的とするものである。
【課題を解決するための手段】
【０００７】
本発明は前述した課題を解決するため、請求項１では、表示板が前面側に設けられた指示計器と、前記指示計器を収納するケースと、前記表示板上に臨んで設置される表示用の発光体と、前記ケースの開口部に配置され前記指示計器を密閉状態で覆う透視可能な透視板と、前記ケースに設けられ前記透視板と前記ケースによって構成される収納空間と外気とを連通する通気孔を有する通気部と、を備えた計器装置において、前記通気部に設けられた通気孔位置に対応するように前記ケースの底面から高さ方向へ延設される筒状の保持部と、この保持部の上端部に配置される前記表示用の発光体と、を備えてなることを特徴とする計器装置である。
【０００８】
このように構成することにより、表示用の発光体を支持する筒状の保持部とケースの底面に設けられる通気孔箇所とを同軸上に設けることにより、ケース内に指示計器等の内部部品を収容するスペースに加えて通気孔を設置するスペースを確保することができるものであり、これにより小型のケースであったとしても充分な曇り止め効果を得ることが可能となる。
【０００９】
また請求項２では、請求項１に記載の計器装置において、前記通気孔の内壁箇所または前記保持部の内壁箇所に障壁部を一体に突出してなることを特徴とするものである。
【００１０】
このように構成することにより、通気孔の通気性を保ちながら、障壁部によって筒状の保持部の内壁箇所を迷路状に連通することができ、これによりケースの外部から水や埃が直接侵入することを未然に防ぐことができる。
【００１１】
また請求項３では、請求項１または請求項２に記載の計器装置において、前記発光体は、前記筒状の保持部と前記表示板との間に配置してなることを特徴とするものである。
【００１２】
このように構成することにより、発光体は筒状の保持部と表示板との間に挟まれた状態にて保持することができ、簡単に発光体をセットすることもできる。
【００１３】
また請求項４では、請求項１から請求項３のいずれかに記載の計器装置において、前記発光体の周囲に弾性材料からなるソケットを設けてなることを特徴とするものである。
【００１４】
このように構成することにより、発光体は弾性材料からなるソケットを介して表示板と筒状の保持部との間に挟着保持されるため、耐震性に優れたものとなり、振動雰囲気中においても軋みなどによる異音も抑えることができる。
【発明の効果】
【００１５】
本発明による計器装置においては、表示用の発光体を支持する筒状の保持部とケースの底面に設けられる通気孔箇所とを同軸上に設けることにより、ケース内に指示計器等の内部部品を収容するスペースに加えて通気孔を設置するスペースを確保することができるものであり、これにより小型のケースであったとしても充分な曇り止め効果を得ることが可能となり、初期の目的を達成することができる。
【図面の簡単な説明】
【００１６】
【図１】図１は、本発明の第１の実施形態である計器装置を示す正面図である。
【図２】図２は、図１の主要部である計器装置を示すＡ−Ａ線断面図である。
【発明を実施するための最良の形態】
【００１７】
図１および図２は本発明の第１の実施形態を示すもので、以下、これらに基づいて本発明の実施形態をたとえばオートバイに搭載される計器装置に適用した場合について説明する。
【００１８】
同図において、本実施形態による計器装置においては、ケース１は合成樹脂材料にからなり、このケース１内には例えば速度計などの指示計器である計器本体２が収納固定され、この計器本体２の回転軸３の先端側に回転軸３を中心に回転する指針４が固着され、この指針４の背面側に位置し透過照明される目盛や数字や記号などからなる指標部が施された表示板５が配設されている。
【００１９】
また、ケース１の前面開口部側を覆いつつ計器本体２や表示板５を含んでケース１内部に外部からの塵埃などの侵入を防ぐために例えばアクリル樹脂などからなる透視板６が設けられている。
【００２０】
また、ケース１には、前記透視板６が曇ることがないように外気とケース１内の内気とを連通する通気孔７を有する筒状の形状からなる通気部８が所定の箇所に複数設けられている。また、ケース１には、この実施形態においては表示板５の指標部を透過照明するための計器照明用の光源９（照明ランプ）が組み付けられている。
【００２１】
また、本実施形態にあっては、表示板５上に設けられた開口部５ａに、例えばオートバイなどの燃料計の残量を知らせたり、温度計の水温状態を知らせたり、あるいは速度計の超過速度を知らせるための表示用（警告も含む）としての発光体１０（発光ダイオード）などが臨んで配置されている。この際、発光体１０は合成ゴムなどの弾性材料からなるソケット１１に収容されて保持されている。
【００２２】
このソケット１１に組み付けられた発光体１０は、ケース１の底面部から内側に向けて一体に延設された筒状の保持部１２と表示板５との間にソケット１１を介して挟着保持されている。この際、本実施形態にあっては、複数の通気部８の中において、発光体１０を設置する位置に沿う箇所に設けられる通気孔７を有する通気部８と同軸上となるように位置を合わせて表示用の発光体１０を支持する筒状の保持部１２が構成されている。
【００２３】
また、通気孔７の内壁箇所あるいは筒状の保持部１２の内壁箇所には、ケース１から一体に水平方向に障壁部１３が突出するように形成されており、この障壁部１３によって通気孔７の通気性を保ちながら、障壁部１３によって筒状の保持部１２の内壁箇所を迷路状に連通することができ、これによりケース１の外部から水や埃が直接侵入することを未然に防ぐことができるようにしている。
【００２４】
また、発光体１０の背後から外部へと引き出しは移設される配線コード１４が設けられ、この配線コード１４は前記筒状の保持部１２に形成された切り欠き案内溝１５を介して外部へと引き回し案内され、オートバイなどのバッテリー側である電源側と電気的に接続しており、本実施形態においては、この切り欠き案内溝１５によってケース１の内部と外部とを連通する通気用通路を構成している。
【００２５】
このように構成された計器装置においては、表示用の発光体１０を支持する筒状の保持部１２とケース１の底面に設けられる通気孔７箇所とを同軸上に設けることにより、ケース１内に指示計器２や照明用の光源９等の内部部品を収容するスペースに加えて通気孔７を有する通気部８を設置するスペースを確保することができるものであり、これにより小型のケース１であったとしても充分な透視板６の曇り止め効果を得ることが可能な計器装置を提供することができる。
【００２６】
この際、通気孔７の内壁箇所または保持部１２の内壁箇所に障壁部１３を一体に突出してなることにより、通気孔７の通気性を保ちながら、障壁部１３によって筒状の保持部１２の内壁箇所を迷路状に連通することができ、これによりケース１の外部から水や埃が直接侵入することを未然に防ぐことができる。
【００２７】
また、表示板５に設けられた開口部５ａに一部を挿入して配設された発光体１０は、筒状の保持部１２と表示板５との間に挟まれた状態にて保持することができるものであり、この際、発光体１０の周囲に弾性材料からなるソケット１１によって覆うように設けてなることにより、発光体１０は弾性材料からなるソケット１１を介して表示板５と筒状の保持部１２との間に挟着保持されるため、耐震性に優れたものとなり、振動雰囲気中においても軋みなどによる異音も抑えることができるという効果も期待できる。
【００２８】
なお、筒状の保持部１２の上端に柔軟材料からなるソケット１１を介して発光体１０を配置することによって発光体１０を直接外気に晒すことなく、かつソケット１１によって防水性を保つこともできる。
【００２９】
また、筒状の保持部１２が設けられていない箇所に形成された通気孔７を有する通気部８においては、外気がケース１の外部から通気部８の通気孔７を通してケース１の内部へと流れ込むことにより、一般的に行われている通気効果が得られるものである。
【００３０】
なお本発明は、前記実施形態に限定されるものではなく本発明の要旨の範囲内において種々の変形実施が可能であり、例えば実施形態においては、ケース１には、透視板６が曇ることがないように外気とケース１内の内気とを連通する通気孔７を有する通気部８がケース１の底面の所定の箇所に複数設けて構成しているが、通気部８の個数や配置位置などケースの大きさや形状などによって適宜設定すればよいものであり、また通気孔７の内壁や筒状の保持部１２の内壁に設けられる障壁部１３の配置や形状なども適宜変更可能である。また、保持部１２の形状として円筒状からなる筒部によって形成していたが、断面角形状からなる筒状保持部として形成しても良いものであり、また筒状の形態としても円錐形状からなる筒体による保持部としても同様の効果を得ることが可能である。また、発光体として本実施形態にあってはＬＥＤを例にしていたが小型のランプなども可能である。
【産業上の利用可能性】
【００３１】
また、前述した実施形態において詳述したように、オートバイなどの車両用の計器装置を例にして説明したが、車両用計器に限らず船舶用計器あるいは農業用機械や建設機械などの特殊車両の計器装置などにおいても適用することが可能である。
【符号の説明】
【００３２】
１    ケース
２    計器本体（指示計器）
３    指針軸
４    指針
５    表示板
６    透視板
７    通気孔
８    通気部
９    計器照明用の光源
１０    表示用の発光体
１１    ソケット
１２    保持部
１３    障壁部
１４    配線コード
１５    切り欠き案内溝（通気用通路）
【図１】
2011095068.tif 000003
【図２】
2011095068.tif 000004